(57)【要約】　　　（修正有）【課題】ディスク部とディスクドライブユニットの互換性を完全に保つことができるだけでなく、外部システムに依存しないシステムを構築でき、光ディスク装置自体にパソコン機能をもたせてセキュリティ面等を改善する。【解決手段】通常の光ディスクと同様に外部システムに着脱可能で、装着されて使用されるディスク装置１に設けられたメモリ部３からディスクドライブユニット４を介して読み出した信号に基づいて、ディスク装置１に設けられた電子回路２が外部システム１０を制御する。【選択図】　　　図３
2004005902.tif 000002
【特許請求の範囲】
【請求項１】
外部システムに着脱可能なディスク装置であって、
前記ディスク装置には、情報を記憶するメモリ部と、該メモリ部からデータを読み込み及び／又は該メモリ部にデータを書き込みするディスクドライブユニットと、該ディスクドライブユニットを介して前記メモリ部との間で信号の授受を行う電子回路部と、前記電子回路部と前記外部システム間の信号授受のためのデータ入出力端子群とが搭載され、
前記電子回路部は、前記ディスクドライブユニットを介して前記メモリ部から読み出された情報に基づいて前記外部システムを制御することを特徴とするディスク装置。
【請求項２】
外部システムにディスク装置が装着されて、システム動作する動作システムにおいて、
前記ディスク装置には、
ＯＳ及び／またはアプリケーションデータが格納されたメモリ部と、
該メモリ部からデータを読み込み及び／又は該メモリ部にデータを書き込みするディスクドライブユニットと、
該ディスクドライブユニットを介して前記メモリ部との間で信号の授受を行う電子回路部と、
前記電子回路部と前記外部システム間の信号授受のためのデータ入出力端子群とが搭載され、
前記電子回路部は、前記ディスクドライブユニットを介して前記メモリ部から読み出されたＯＳ及び／またはアプリケーションデータに基づいて前記外部システムを制御することを特徴とする動作システム。
【請求項３】
前記ディスク装置は複数層構造を有し、前記電子回路は、前記複数層の内部層に配設されて成ることを特徴とする請求項１または２に記載のディスク装置または動作システム。
【請求項４】
前記電子回路は、前記ディスク装置の片面にのみ配設されて成ることを特徴とする請求項１または２に記載のディスク装置または動作システム。
【請求項５】
前記電子回路は、光電池を含むことを特徴とする請求項１乃至４のいずれかに記載のディスク装置または動作システム。
【請求項６】
前記メモリ部には、複数のＯＳ及び／またはアプリケーションが格納され、いずれかを任意に選択動作可能としたことを特徴とする請求項１乃至５のいずれかに記載のディスク装置または動作システム。
【発明の詳細な説明】
【発明の属する技術分野】
【０００１】
本発明はディスク装置及びそれを使用した動作システムに関するものである。
【０００２】
【従来の技術】
従来からドライブ一体型のディスクは提案されているが、あくまでディスクは周辺機器の１つであり、システムの制御は外部システムのプロセッサに委ねられている。
【０００３】
【発明が解決しようとする課題】
本発明は、外部システムを周辺機器として制御する電子回路を有するドライブ一体型ディスク（以下、インテリジェント・ディスク（ＩＤ）と呼ぶ）としてのディスク装置及びそれを使用した動作システムを提供するものである。
【０００４】
【課題を解決するための手段】
前述の目的を達成するため、本発明によるディスク装置及び動作システムは，次のような特徴的な構成を採用している。
【０００５】
（１）外部システムに着脱可能なディスク装置であって、
前記ディスク装置には、情報を記憶するメモリ部と、該メモリ部からデータを読み込み及び／又は該メモリ部にデータを書き込みするディスクドライブユニットと、該光ディスクドライブユニットを介して前記メモリ部との間で信号の授受を行う電子回路部と、前記電子回路部と前記外部システム間の信号授受のためのデータ入出力端子群とが搭載され、
前記電子回路部は、前記ディスクドライブユニットを介して前記メモリ部から読み出された情報に基づいて前記外部システムを制御するディスク装置。
【０００６】
（２）外部システムにディスク装置が装着されて、システム動作する動作システムにおいて、
前記ディスク装置には、
ＯＳ及び／またはアプリケーションデータが格納されたメモリ部と、
該メモリ部からデータを読み込み及び／又は該メモリ部にデータを書き込みするディスクドライブユニットと、
該光ディスクドライブユニットを介して前記メモリ部との間で信号の授受を行う電子回路部と、
前記電子回路部と前記外部システム間の信号授受のためのデータ入出力端子群とが搭載され、
前記電子回路部は、前記光ディスクドライブユニットを介して前記メモリ部から読み出されたＯＳ及び／またはアプリケーションデータに基づいて前記外部システムを制御する動作システム。
【０００７】
（３）前記ディスク装置は複数層構造を有し、前記電子回路は、前記複数層の内部層に配設されて成る上記（１）または（２）のディスク装置または動作システム。
【０００８】
（４）前記電子回路は、前記ディスク装置の片面にのみ配設されて成る上記（１）または（２）のディスク装置または動作システム。
【０００９】
（５）前記電子回路は、光電池を含む上記（１）乃至（４）のいずれかのディスク装置または動作システム。
【００１０】
（６）前記メモリ部には、複数のＯＳ及び／またはアプリケーションが格納され、いずれかを任意に選択動作可能とした上記（１）乃至（５）のいずれかのディスク装置または動作システム。
【００１１】
【発明の実施の形態】
以下、添付図面に従って、本発明の一実施の形態を説明する。
図１は、本実施の形態の電子回路を有するドライブ一体型ディスク構造のディスク装置の外観図である。ここで、ＩＤ１は光ディスクに相当し、カード状に形成され（以下、ＩＤカードと呼ぶ）、ＩＣカードと同様のコネクトピンを設けることで、ＩＣカードとの代替が可能となる。
【００１２】
ＩＤ１は、情報を記憶するディスク面であるディスク（メモリ）部３と、例えば図１のように、その中央部に搭載されたインテリジェント回路部２と、ＩＤのディスク部（面）３から情報を読み取る（又は書き込む）ピックアップ（図示せず）や、該ピックアップをディスク面上でシークさせるピックアップ駆動回路（図示せず）を含む光ディスク・ドライブユニット４から成る。ここで、図１では回路部２をディスクの中央部に配置したが、ディスクの片面を専有したり、複数層にディスクを製造してその中の層に配置したり等、その配置には特に限定はない。
【００１３】
図２は、ＩＤカードの一端にコネクタを設けたものである。コネクタはＩＤカードの用途により他の端にも設けて良い。
【００１４】
このようにしてシステム側とのバス結合を実現することで、ＩＤカードと外部システム間のデータ転送量や転送速度の制限をなくし、ＩＤカードシステムの処理速度を高速に維持することができる。
【００１５】
図３は本実施の形態のＩＣを含むコンピュータシステムの構成例である。
インテリジェント回路部２は、固定情報を記憶するＲＯＭ２２と、一時記憶としてもＲＡＭ２３と、ＲＯＭ２２やＲＡＭ２３に格納されたプログラムを実行するＣＰＵ２１とを含んでいる。２４はＩＤ側が独立して電源を持つ場合に必要な光電池である。
【００１６】
一方、システム部１０には、表示部１１、キーボード１２、マウス１３、プリンタ１４、バッファメモリ１５、ＤＭＡテーブル１６ａを有するＤＭＡＣ１６、通信処理部１７等が接続される。尚、システム部１０は多くの機能を有するコンピュータシステムであっても、１つの機能、例えば表示やプリントのみを有する特殊機器であってもよい。
【００１７】
インテリジェント回路部２とシステム部１０との結合は、接触型または非接触型のバス結合である。
【００１８】
本システムでは、外部システム部１０にはＣＰＵはなく、全システムはＩＤ内のＣＰＵ２１の制御の下に動作する。又、ＯＳやアプリケーションデータはディスク部に格納されているため、ＩＤの差し込みによって、そのＩＤの有するＯＳでシステム部１０を動作できる。すなわち、本ＩＤのディスク部と電子回路部には、ブーツストラップとシステムプログラムとアプリケーションとが所望の位置に振り分けられて記憶されている。又、ディスク部３内に複数のＯＳやアプリケーションを用意して表示部１１に選択表示させて、マウス１３等で選択するようにすると、標準仕様のシステム部１０を用意すれば、種々のＯＳを立ち上げることができる。
【００１９】
又、本システムによれば、昨今のプロセッサの進歩によっても、ＩＤの買い替えでバージョンアップが実現されるとともに、ハードとソフトとが一体であるため、旧いバージョンでも新しいバージョンでもユーザは自由にコンピュータシステムを構築できる。
【００２０】
【発明の効果】
以上説明したように、本発明によるディスク装置及び動作システムは、通常の光ディスクと同様に外部システムに着脱可能で、装着されて使用され、このディスク装置に設けられたメモリ部からディスクドライブユニットを介して読み出した信号に基づいて、同様にディスク装置に設けられた電子回路が外部システムを制御しているので、ディスク部とディスクドライブユニットの互換性を完全に保つことができるだけでなく、外部システムに依存しないシステムを構築でき、ディスク装置自体がパソコン機能をもつことになり、セキュリティ面を含め産業上の効果は絶大なものがある。
【図面の簡単な説明】
【図１】本発明の実施形態のドライブ一体型ディスク構造のディスク装置の一例を示す外観図である。
【図２】本実施形態のドライブ一体型ディスク構造のディスク装置の他例の外観図である。
【図３】本実施形態のドライブ一体型ディスク構造のディスク内部構成例を示す図である。
【符号の説明】
１　　　ＩＤ（光ディスク）
２　　　インテリジェント回路部（電子回路）
３　　　ディスク（メモリ）部
４　　　光ディスクドライブユニット
１０　　外部システム
１１　　表示部
１２　　キーボード
１３　　マウス
１４　　プリンタ
１５　　バッファメモリ（ハードディスク）
１６　　ＤＭＡＣ
１６ａ　ＤＭＡテーブル
１７　　通信処理部
２１　　ＣＰＵ
２２　　ＲＯＭ
２３　　ＲＡＭ
２４　　光電池
【図１】
2004005902.tif 000003
【図２】
2004005902.tif 000004
【図３】
2004005902.tif 000005
【手続補正書】
【提出日】平成15年1月15日(2003.1.15)
【手続補正１】
【補正対象書類名】明細書
【補正対象項目名】特許請求の範囲
【補正方法】変更
【補正の内容】
【特許請求の範囲】
【請求項１】
外部システムに着脱可能なディスク装置であって、
前記ディスク装置には、情報を記憶するメモリ部と、該メモリ部からデータを読み込み及び／又は該メモリ部にデータを書き込みするディスクドライブユニットと、該ディスクドライブユニットを介して前記メモリ部との間で信号の授受を行う電子回路部と、前記電子回路部と前記外部システム間の信号授受のためのデータ入出力端子群とが搭載され、
前記電子回路部は、前記ディスクドライブユニットを介して前記メモリ部から読み出された情報に基づいて前記外部システムを制御することを特徴とするディスク装置。
【請求項２】
外部システムにディスク装置が装着されて、システム動作する動作システムにおいて、
前記ディスク装置には、
ＯＳ及び／またはアプリケーションデータが格納されたメモリ部と、
該メモリ部からデータを読み込み及び／又は該メモリ部にデータを書き込みするディスクドライブユニットと、
該ディスクドライブユニットを介して前記メモリ部との間で信号の授受を行う電子回路部と、
前記電子回路部と前記外部システム間の信号授受のためのデータ入出力端子群とが搭載され、
前記電子回路部は、前記ディスクドライブユニットを介して前記メモリ部から読み出されたＯＳ及び／またはアプリケーションデータに基づいて前記外部システムを制御することを特徴とする動作システム。
【請求項３】
前記ディスク装置は複数層構造を有し、前記電子回路は、前記複数層の内部層に配設されて成ることを特徴とする請求項１または２に記載のディスク装置または動作システム。
【請求項４】
前記電子回路は、前記ディスク装置の片面にのみ配設されて成ることを特徴とする請求項１または２に記載のディスク装置または動作システム。
【請求項５】
前記電子回路は、光電池を含むことを特徴とする請求項１乃至４のいずれかに記載のディスク装置または動作システム。
【請求項６】
前記メモリ部には、複数のＯＳ及び／またはアプリケーションが格納され、いずれかを任意に選択動作可能としたことを特徴とする請求項１乃至５のいずれかに記載のディスク装置または動作システム。
【手続補正２】
【補正対象書類名】明細書
【補正対象項目名】０００３
【補正方法】変更
【補正の内容】
【０００３】
【発明が解決しようとする課題】
本発明は、外部システムを周辺機器として制御する電子回路を有するドライブ一体型ディスク（以下、インテリジェント・ディスク（ＩＤ）と呼ぶ）としてのディスク装置及びそれを使用した動作システムを提供するものである。


【手続補正３】
【補正対象書類名】明細書
【補正対象項目名】００１０
【補正方法】変更
【補正の内容】
【００１０】
（６）前記メモリ部には、複数のＯＳ及び／またはアプリケーションが格納され、いずれかを任意に選択動作可能とした上記（１）乃至（５）のいずれかのディスク装置または動作システム。


【手続補正４】
【補正対象書類名】明細書
【補正対象項目名】００１１
【補正方法】変更
【補正の内容】
【００１１】
【発明の実施の形態】
以下、添付図面に従って、本発明の一実施の形態を説明する。
図１は、本実施の形態の電子回路を有するドライブ一体型ディスク構造のディスク装置の外観図である。ここで、ＩＤ１は光ディスクに相当し、カード状に形成され（以下、ＩＤカードと呼ぶ）、ＩＣカードと同様のコネクトピンを設けることで、ＩＣカードとの代替が可能となる。


【手続補正５】
【補正対象書類名】明細書
【補正対象項目名】００１２
【補正方法】変更
【補正の内容】
【００１２】
ＩＤ１は、情報を記憶するディスク面であるディスク（メモリ）部３と、例えば図１のように、その中央部に搭載されたインテリジェント回路部２と、ＩＤのディスク部（面）３から情報を読み取る（又は書き込む）ピックアップ（図示せず）や、該ピックアップをディスク面上でシークさせるピックアップ駆動回路（図示せず）を含む光ディスク・ドライブユニット４から成る。ここで、図１では回路部２をディスクの中央部に配置したが、ディスクの片面を専有したり、複数層にディスクを製造してその中の層に配置したり等、その配置には特に限定はない。


【手続補正６】
【補正対象書類名】明細書
【補正対象項目名】００１３
【補正方法】変更
【補正の内容】
【００１３】
図２は、ＩＤカードの一端にコネクタを設けたものである。コネクタはＩＤカードの用途により他の端にも設けて良い。


【手続補正７】
【補正対象書類名】明細書
【補正対象項目名】００１４
【補正方法】変更
【補正の内容】
【００１４】
このようにしてシステム側とのバス結合を実現することで、ＩＤカードと外部システム間のデータ転送量や転送速度の制限をなくし、ＩＤカードシステムの処理速度を高速に維持することができる。


【手続補正８】
【補正対象書類名】明細書
【補正対象項目名】００１５
【補正方法】変更
【補正の内容】
【００１５】
図３は本実施の形態のＩＣを含むコンピュータシステムの構成例である。
インテリジェント回路部２は、固定情報を記憶するＲＯＭ２２と、一時記憶としてもＲＡＭ２３と、ＲＯＭ２２やＲＡＭ２３に格納されたプログラムを実行するＣＰＵ２１とを含んでいる。２４はＩＤ側が独立して電源を持つ場合に必要な光電池である。


【手続補正９】
【補正対象書類名】明細書
【補正対象項目名】００１６
【補正方法】変更
【補正の内容】
【００１６】
一方、システム部１０には、表示部１１、キーボード１２、マウス１３、プリンタ１４、バッファメモリ１５、ＤＭＡテーブル１６ａを有するＤＭＡＣ１６、通信処理部１７等が接続される。尚、システム部１０は多くの機能を有するコンピュータシステムであっても、１つの機能、例えば表示やプリントのみを有する特殊機器であってもよい。


【手続補正１０】
【補正対象書類名】明細書
【補正対象項目名】００１８
【補正方法】変更
【補正の内容】
【００１８】
本システムでは、外部システム部１０にはＣＰＵはなく、全システムはＩＤ内のＣＰＵ２１の制御の下に動作する。又、ＯＳやアプリケーションデータはディスク部に格納されているため、ＩＤの差し込みによって、そのＩＤの有するＯＳでシステム部１０を動作できる。すなわち、本ＩＤのディスク部と電子回路部には、ブーツストラップとシステムプログラムとアプリケーションとが所望の位置に振り分けられて記憶されている。又、ディスク部３内に複数のＯＳやアプリケーションを用意して表示部１１に選択表示させて、マウス１３等で選択するようにすると、標準仕様のシステム部１０を用意すれば、種々のＯＳを立ち上げることができる。


【手続補正１１】
【補正対象書類名】明細書
【補正対象項目名】００１９
【補正方法】変更
【補正の内容】
【００１９】
又、本システムによれば、昨今のプロセッサの進歩によっても、ＩＤの買い替えでバージョンアップが実現されるとともに、ハードとソフトとが一体であるため、旧いバージョンでも新しいバージョンでもユーザは自由にコンピュータシステムを構築できる。


【手続補正１２】
【補正対象書類名】明細書
【補正対象項目名】図面の簡単な説明
【補正方法】変更
【補正の内容】
【図面の簡単な説明】
【図１】本発明の実施形態のドライブ一体型ディスク構造のディスク装置の一例を示す外観図である。
【図２】本実施形態のドライブ一体型ディスク構造のディスク装置の他例の外観図である。
【図３】本実施形態のドライブ一体型ディスク構造のディスク内部構成例を示す図である。
【符号の説明】
１　　　ＩＤ（光ディスク）
２　　　インテリジェント回路部（電子回路）
３　　　ディスク（メモリ）部
４　　　光ディスクドライブユニット
１０　　外部システム
１１　　表示部
１２　　キーボード
１３　　マウス
１４　　プリンタ
１５　　バッファメモリ（ハードディスク）
１６　　ＤＭＡＣ
１６ａ　ＤＭＡテーブル
１７　　通信処理部
２１　　ＣＰＵ
２２　　ＲＯＭ
　２３　　ＲＡＭ
　２４　　光電池